(57)【要約】  ある態様によれば、ハンディ型掃除機（１００）用充電スタンド（１）が提供される。充電スタンドは、表面上に充電スタンドを支持するように構成された第一の部分（３）と、ハンディ型掃除機を支持するように構成された第二の部分（４）と、ハンディ型掃除機を電源に電気的に接続するように構成された電気接点（８）と、を含む。第一部分と第二の部分は相互に蝶着される。さらに、充電スタンドは、第一の部分を第二の部分に関して固定するように構成されたロック手段（６）を含む。充電スタンドは、様々な保管上の要求事項に対する改善された適応性を有する。【選択図】図１
2016504959.tif 000002
【特許請求の範囲】
【請求項１】
ハンディ型掃除機（１００）用充電スタンド（１）であって、
表面上に前記充電スタンドを支持するように構成された第一の部分（３）と、
前記ハンディ型掃除機を支持するように構成された第二の部分（４）と、
前記ハンディ型掃除機を電源に電気的に接続するように構成された電気接点（８）と、
を含み、
前記第一の部分と前記第二の部分が相互に蝶着され、
前記充電スタンドが、前記第一の部分を前記第二の部分に関して固定するように構成されたロック手段（６）をさらに含む充電スタンド（１）。
【請求項２】
前記第一の部分が前記第二の部分に関して、前記第一の部分の前記第二の部分に関する、０°〜３０°、好ましくは０°〜２０°、さらにより好ましくは０°〜１０°の範囲の最小角度と、前記第一の部分の前記第二の部分に関する、５０°〜９０°、好ましくは６０°〜８５°、さらにより好ましくは６５°〜８０°の範囲の最大角度（α）との間で旋回可能である、請求項１に記載の充電スタンド。
【請求項３】
前記ロック手段が、前記第二の部分を前記第一の部分に関して、少なくとも、
前記第一の部分が前記第二の部分に関して約０°〜３０°、好ましくは０°〜２０°、さらにより好ましくは０°〜１０°の第一の角度を有する第一の位置と、
前記第一の部分が前記第二の部分に関して約５０°〜９０°、好ましくは６０°〜８５°、さらにより好ましくは６５°〜８０°の第二の角度（α）を有する第二の位置、
にロックするように構成される、請求項１または２に記載の充電スタンド。
【請求項４】
前記ロック手段が、前記第二の部分を前記第一の部分に関して、前記第一と第二の位置間の１つまたは複数の中間位置にロックするように構成される、請求項３に記載の充電スタンド。
【請求項５】
前記第一の部分が、前記充電スタンドを前記表面に固定する固定手段を受けるための少なくとも１つの穴（１３）を含む、請求項１〜４の何れか１項に記載の充電スタンド。
【請求項６】
前記第二の部分が固定手段を受けるための少なくとも１つの穴（１４）を含み、前記第二の部分の前記少なくとも１つの穴が前記第一の部分の前記少なくとも１つの穴と整合する、請求項５に記載の充電スタンド。
【請求項７】
前記ロック手段が、
噛み合い連結部と、
前記第一の部分と前記第二の部分の一方に旋回可能に接続される第一の端と、前記第一の部分と前記第二の部分のもう一方を支持する第二の端と、を有する支持要素
の１つまたは複数を含む、請求項１〜６の何れか１項に記載の充電スタンド。
【請求項８】
前記第二の部分に配置されたフック（９）をさらに含み、前記フックが前記第二の部分において前記ハンディ型掃除機を保持するようになされている、請求項１〜７の何れか１項に記載の充電スタンド。
【請求項９】
前記フックが前記第一と第二の部分間の蝶着部から、前記電気的接続と実質的に同じ距離に配置される、請求項８に記載の充電スタンド。
【請求項１０】
前記第二の部分が前記ハンディ型掃除機を支持するようになされたそり（１０）を含む、請求項１〜９の何れか１項に記載の充電スタンド。
【請求項１１】
前記電気接点が前記第二の部分の中央部分に配置される、請求項１〜１０の何れか１項に記載の充電スタンド。
【請求項１２】
前記第二の部分の端部分が前記第一の部分に蝶着される、請求項１〜１１の何れか１項に記載の充電スタンド。
【請求項１３】
前記第二および／または第一の部分に形成された、前記ハンディ型掃除機の付属品（１８）を保管するための凹部（７、１７）をさらに含む、請求項１〜１２の何れか１項に記載の充電スタンド。
【請求項１４】
前記電気接点が前記第二の部分に統合される、請求項１〜１３の何れか１項に記載の充電スタンド。
【請求項１５】
前記第二の部分が、前記ハンディ型掃除機を前記第二の部分の、前記第一と第二の部分が相互に畳まれた時に前記第一の部分の反対を向く面に支持するようになされている、請求項１〜１４の何れか１項に記載の充電スタンド。
【発明の詳細な説明】
【技術分野】
【０００１】
本発明は一般に、ハンディ型掃除機用充電スタンドの分野に関する。
【背景技術】
【０００２】
ハンディ型掃除機は、片手で操作され、バッテリを電源とする持ち運び型掃除機の１種である。このようなハンディ型掃除機は、テーブル、家具、またはその他の比較的小さい表面を吸引により掃除するのに適している。ハンディ型掃除機は、従来のキャニスタ型掃除またはロボット掃除機に比べて、比較的小さい（重さ約１ｋｇ）。このような掃除機に適した充電スタンドは通常、かなり小さく、その大きさはハンディ型掃除機自体の大きさと同等であり、一般に、使用者にとってハンディ型掃除機に手が届きやすくするために、台所の棚やテーブル等の限定的な領域の上に立たせるか、または壁に固定するようになされる。ハンディ型掃除機用充電スタンドの一例は、米国特許第４６７０７０１号明細書に示されている。このような充電スタンドの欠点は、スタンドが水平表面上に立たせることに限定され、最低でも、ハンディ掃除機の直立した姿勢での高さに略対応する保管空間の高さが必要となることである。
【発明の概要】
【発明が解決しようとする課題】
【０００３】
上記の欠点を克服し、または少なくとも軽減するハンディ型掃除機用充電スタンドを実現することが有利であろう。特に、多様な保管上の要求事項への適応性が改善されたハンディ型掃除機用充電スタンドを実現することが望ましいであろう。
【課題を解決するための手段】
【０００４】
これらの問題の１つまたは複数によりよく対応するために、特許請求の範囲の独立項において定義された特徴を有する充電スタンドが提供される。好ましい実施形態は、従属項において定義される。
【０００５】
ある態様によれば、ハンディ型掃除機用充電スタンドが提供される。この充電スタンドは、充電スタンドを表面上に支持するように構成された第一の部分と、ハンディ型掃除機を支持するように構成された第二の部分と、ハンディ型掃除機を電源に電気的に接続するように構成された電気接点、を含む。第一の部分と第二の部分は相互に蝶着される。さらに、充電スタンドは、第一の部分を第二の部分に関して固定するように構成されたロック手段を含む。
【０００６】
この充電スタンドは、掃除機が充電されることになる保管空間またはその他の保管上の要求事項に適応させることができる。例えば、スタンドはハンディ型掃除機を実質的に水平の姿勢で（すなわち、ハンディ型掃除機の長手方向がその表面に沿って方向付けられる）支持してもよく、これは高さが制限された保管空間の場合に有利であるかもしれない。さらに、スタンドはハンディ型掃除機を実質的に直立した姿勢で（ハンディ型掃除機を長手方向が表面を横断するように方向付けられる）支持してもよく、これは幅が制限された保管空間の場合および／または販売店および／または台所でハンディ型掃除機をディスプレイするのに適しているかもしれない。それゆえ、この充電スタンドは、多様な保管上の要求事項に対する適応可能性が改善されている。
【０００７】
ある実施形態によれば、第一の部分は第二の部分に関して、第一の部分の第二の部分に関する、０°〜３０°、好ましくは０°〜２０°、さらにより好ましくは０°〜１０°の範囲内（例えば約０°）の最小角度と第一の部分の第二の部分に関する、５０°〜９０°、好ましくは６０°〜８５°、さらにより好ましくは６５°〜８０°の範囲内（例えば約７０°または７２°）の最大角度との間で旋回されてもよい。この角度範囲によって、ハンディ型掃除機を実質的に水平の姿勢で（最小角度で）および直立した（垂直に近い）姿勢で（最大角度で）保持するように充電スタンドを畳んだり起こしたりすることができる。最大角度は９０°より小さいため、掃除機がスタンド内に配置されている時に充電スタンドが転倒する危険性が低くなる。転倒は、ハンディ型掃除機の重力線（すなわち、質量中心を通る想像上の垂直線）が充電スタンドの支持領域の外にある時に発生する（すなわち、このような条件下ではハンディ型掃除機がバランスを失う）。これに関して、「支持領域」という用語は、下にある面の上に載っている本体（例えば充電スタンド）の外側支持点間の境界によって画定される支持基盤（または領域）を指す。
【０００８】
好ましくは、充電スタンドは、第一と第二の部分間の最大角度より大きい角度となることを不能にするように構成されてもよく、それによって充電スタンドが第一と第二の部分間のそれより大きい角度に偶発的に配置される危険性が低減する。
【０００９】
ある実施形態において、ロック手段は、第二の部分を第一の部分に関して、少なくとも、第一の部分が第二の部分に関して約０°〜３０°、好ましくは０°〜２０°、さらにより好ましくは０°〜１０°（例えば約０°）の第一の角度を有する第一の位置と、第一の部分が第二の部分に関して約５０°〜９０°、好ましくは約６０°〜８５°、さらにより好ましくは６５°〜８０°（例えば７０°または７２°）の第二の角度を有する第二の位置にロックするように構成されていてもよい。それゆえ、充電スタンドが実質的に水平表面上で第一の位置に支持される場合、充電スタンドはハンディ型掃除機を実質的に水平の姿勢に保持してもよく、第二の位置では、充電スタンドはハンディ型掃除機を直立した（垂直に近い）姿勢に保持してもよい。
【００１０】
ある実施形態によれば、ロック手段は、第二の部分を第一の部分に関して第一および第二の位置間の１つまたは複数の中間位置にロックするように構成されていてもよい。中間位置では、第一と第二の部分間の角度が第一の角度より大きく、第二の角度より小さくてもよい。この実施形態では、位置決めの選択肢の数が増え、使用者は充電スタンドを希望通りにより正確に調整でき、これによって多様な保管上の要求事項に対する充電スタンドの適応性がさらに改善される。
【００１１】
ある実施形態によれば、第一の部分は、充電スタンドを前記表面上に固定するための固定手段（ねじ等）を受けるための少なくとも１つの穴を含んでいてもよく、これによって充電スタンドとハンディ型掃除機に関する保管の可能性がさらに高まる。例えば、充電スタンドは壁に取り付けてもよい。充電スタンドを壁に取り付ける場合、これは好ましくは畳まれた位置（すなわち第一の位置）に配置されてもよく、それによってハンディ型掃除機が充電スタンドか落下する危険性が低下する。
【００１２】
ある実施形態において、第二の部分は固定手段を受けるための少なくとも１つの穴を含んでいてもよく、第二の部分のこの少なくとも１つの穴は第一の部分の少なくとも１つの穴と整合して、固定手段が第一と第二の部分の両方を通って延びてもよい。それゆえ、第一の部分が第二の部分に固定されて、充電スタンドが畳まれた状態（例えば上述の第一の位置）で固定される。充電スタンドが表面（壁等）に固定手段により取り付けられた時に、第一と第二の部分の相対的な移動がこれによって不能となってもよい。
【００１３】
ある実施形態によれば、ロック手段は、噛み合い連結と、第一の部分と第二の部分の一方に旋回可能に接続された第一の端と第一の部分と第二の部分のもう一方を支持するための第二の端を有する支持要素のうちの１つまたは複数を含んでいてもよい。支持要素は、例えばロッドまたは同様の要素であってもよい。支持要素の旋回構成によって、支持要素の第二の端を第一と第二の部分の前記もう一方の（長手方向）に沿った異なる位置に配置することができる。噛み合い連結および／または支持要素によって、充電スタンドを異なる位置（例えば、第一、第二、および何れかの中間位置）に配置することが可能となりうる。あるいは、（またはその補足として）、ロック手段は摩擦連結を含んでいてもよい。
【００１４】
ある実施形態によれば、充電スタンドは第二の部分に配置されたフックをさらに含んでいてもよく、フックはハンディ型掃除機を第二の部分で保持（例えば支持）するようになされている。特に、フックは、充電スタンドがハンディ型掃除機を実質的に直立した姿勢で保持するように構成されている時にハンディ型掃除機を支持してもよい。さらに、フックによって、ハンディ型掃除機の電気接点と充電スタンドの電気接点とを整合させやすくなる。フックは、ハンディ型掃除機を充電スタンドにおいて適正な充電位置に案内する役割を果たしてもよい。
【００１５】
ある実施形態によれば、フックは、第一と第二の部分間の蝶着部から電気的接続と実質的に同じ距離に配置されてもよい。「蝶着部から実質的に同じ距離に」という表現は、電気的接続と蝶着部との間の距離からの差が最大で４ｃｍ、より好ましくは最大で２ｃｍのあらゆる距離を含んでよい。例えば、フックを電気接点に近接して（例えば、それから最大で４ｃｍ）配置してもよい。ハンディ型掃除機の質量中心は通常、ハンディ型掃除機の電気接点（その上に充電スタンドの電気接点が整合される）に近接しているため、この実施形態では、（フックにおける）懸垂地点がハンディ型掃除機の質量中心に近接しているため、安定性が改善される。
【００１６】
フックと第二の部分は好ましくは、プラスチックの単独部品に成形されてもよく、これによって充電スタンドの製造が容易になる。
【００１７】
ある実施形態によれば、第二の部分はそりを含んでいてもよく、これはハンディ型掃除機を、ハンディ型掃除機の少なくとも一部がそりに納まる状態で支持（例えば保持）するようになされる。それゆえ、このそりによって、ハンディ型掃除機を充電スタンドに固定しやすくなる。そりは好ましくは、ハンディ型掃除機の形状に適応されて、よりよく支持できるようになっていてもよい。好ましくは、そりはハンディ型掃除機を、ハンディ型掃除機の電気接点と充電スタンドの電気接点が整合する状態で保持するようになされていてもよい。
【００１８】
ある実施形態において、電気接点が第二の部分の中央部分に配置されてもよい。前述のように、ハンディ型掃除機の質量中心は通常、ハンディ型掃除機の電気接点（その上に充電スタンドの電気接点が整合される）に近接している。それゆえ、この実施形態では、ハンディ型掃除機の質量中心が第二の部分の中央部分において支持されうるため、安定性が改善される。
【００１９】
ある実施形態によれば、第二の部分の端部分（例えば、第二の部分のうち第二の部分の端に近接する部分）が第一の部分に蝶着されてもよい。任意選択により、第一の部分の端部分（例えば、第一の部分のうち第一の部分の端に近接する部分）が第二の部分に蝶着されてもよい。
【００２０】
ある実施形態において、充電スタンドは、第二および／または第一の部分に形成された、ハンディ型掃除機の付属品（ブラシ等）を保管するための凹部（またはコンパートメント）をさらに含んでいてもよい。それゆえ、付属品の保管部分を充電スタンドに一体化してもよく、これは使用者が付属品を追跡し続けるのを支援しうる。
【００２１】
ある実施形態によれば、電気接点を第二の部分に統合してもよい。例えば、１つまたは複数の接触パッドを第二の部分に統合してもよい。
【００２２】
ある実施形態によれば、第二の部分は、ハンディ型掃除機を第二の部分の、第一と第二の部分を相互に畳んだ時に第一の部分と反対を向くほうの面で支持するようになされていてもよい。
【００２３】
本発明の上記以外の目標、特徴、利点は、以下の詳細な説明、図面、付属の特許請求の範囲をよく見ることにより明らかとなるであろう。当業者であれば、本発明の各種の特徴を組み合わせて、以下に説明するもの以外の実施形態を創出できることに気付くであろう。
【００２４】
本願の態様の上記およびそれ以外の目的、特徴、利点は、添付の図面を参照しながら好ましい実施形態の以下の例示的で非限定的な詳細な説明を通じてよりよく理解されるであろう。
【図面の簡単な説明】
【００２５】
【図１】ある実施形態による充電スタンドを示す。
【図２】充電スタンドの分解図を示す。
【図３】充電スタンドに取り付けられたハンディ型掃除機を示し、充電スタンドが第一の位置にある。
【図４】充電スタンドに取り付けられたハンディ型掃除機を示し、充電スタンドが第二の位置にある。
【図５】充電スタンドが壁に取り付けられた時の、充電スタンドに取り付けられたハンディ型掃除機を示す。
【発明を実施するための形態】
【００２６】
すべての図面は概略的であり、必ずしも正しい縮尺によらず、概して本発明を説明するために必要な部分のみを示しており、その他の部分は省略されるか、単に示唆のみされるかもしれない。
【００２７】
ある実施形態によるハンディ型掃除機用充電スタンドを、図１と２を参照しながら説明する。図１は充電１の斜視図であり、図２は図１に示される充電スタンド１の分解図である。
【００２８】
充電スタンド１は、表面、例えばテーブル、棚、壁またはその他に支持するようになされた第一の部分３を含む。充電スタンド１は、第一の部分３の下側に取り付けられたゴムの足１１を含んでいてもよく、それによって第一の部分３はゴムの足１１を介して表面に載せられる。第一の部分３は（やや）長い形状を有し、充電スタンド１が表面上に支持された時に、表面に沿って延びるようになされていてもよい。充電スタンド１は、蝶着部５を介して第一の部分３に旋回可能に（またはヒンジ式に）接続された第二の部分４をさらに含む。第一の部分３は第二の部分４に関して、第一の部分３の第二の部分４に関する、０°〜３０°、好ましくは０°〜２０°、さらにより好ましくは０°〜１０°の範囲の最小角度と、第一の部分３の第二の部分４に関する、５０〜９０°、好ましくは６０°〜８５°、さらにより好ましくは６５°〜８０°の範囲の最大角度との間で旋回可能であってもよい。上記の角度は、第一の部分３の長手方向の、第二の部分４の長手方向に関する角度であってもよい。
【００２９】
第二の部分４は、ハンディ型掃除機を支持（または保持）するようになされている。この目的のために、第二の部分４には、好ましくは第二の部分４と同じ材料（プラスチック等）の部品に成形されたフック９が設けられていてもよい。フック９は、ハンディ型掃除機を充電スタンド１に引っ掛けるようになされていてもよい。さらに、充填スタンド１は、ハンディ型掃除機をさらに支持するためのそり１０を含んでいてもよい。好ましくは、第二の部分４の少なくとも一部がそり１０を形成するような形状とされていてもよい。例えば、そり１０は、（やや）ボウル状の形状であっても、および／またはハンディ型掃除機の形状に対応する（追従する、または適合する）形状を有していてもよい。第一の部分３および／または第二の部分４は、好ましくはプラスチックで成形される。任意選択により、第一の部分３と第二の部分４の何れか一方が２つまたはそれ以上の別々に成形された部品を含んでいてもよく、これらが集まって第一の部分３および／または第二の部分４を形成する。図２に示されるこの例では、第二の部分４が２つのこのように別々に成形された部品を含む。第二の部分４は、（第一の部分２と同様に）、（やや）長い形状を有していてもよく、充電スタンド１が（少なくともほとんど）完全に畳まれた時に、第一の部分３に沿って（すなわち、第一の部分３を支持する表面にも沿って）延びてもよい。第二の部分４は、ハンディ型掃除機を、ハンディ型掃除機の長手方向が第二の部分４の長手方向に沿って（例えば実質的にそれと平行に）方向付けられる状態で支持するように構成されていてもよい。蝶着部５は好ましくは、第二の部分４の端部分を第一の部分３に、好ましくは第一の部分３の端部分に相互接続するように構成されてもよく、それによって充電スタンド１は、ハンディ型掃除機が充電スタンド１の中に配置された時にハンディ型掃除機により実質的に見えなくなってもよい。
【００３０】
充電スタンド１は、ハンディ型掃除機のバッテリを電源に電気的に接続し、ハンディ型掃除機のバッテリを充電できるようにするための１つまたは複数の電気接点８をさらに含んでいてもよい。電気接点８は、充電スタンド１をコンセントに接続するために、例えば電気ワイヤを介して電源コード（図示せず）に接続されていてもよい。好ましくは、電気接点８を電源コードに接続するための電気ワイヤは、電気接点８から第二の部分４を通り、蝶着部５を介して第三の部分３へと延びてもよく、そこで電気ワイヤが電源コードに接続されてもよい。
【００３１】
充電スタンド１は１つまたは複数の穴１３、１４をさらに含んでいてもよく、それを通って固定手段（ねじ等）が延びて、充電スタンド１を表面（壁等）に固定してもよい。好ましくは、１つまたは複数の穴１３は第一の部分３の中に画定されてもよく、任意選択によって１つまたは複数のそれに対応する穴１４が第二の部分４の中に画定されてもよい。第二の部分４の穴１４は第一の部分３の穴１３と整合してもよく、それによって固定手段が穴１３、１４を通って延びる。充電スタンド１が表面に取り付けられ、固定手段が第一と第二の部分３、４の穴１３、１４を通って延びている時、第二の部分４は固定手段によって第一の部分に固定され、それによって第一と第二の部分３、４間の相対的移動が不能となる。
【００３２】
充電スタンド１は、ハンディ型掃除機の付属品１８（ブラシまたはその他等）を保管するための凹部（またはコンパートメント）７をさらに含んでいてもよい。凹部７は例えば第二の部分４に画定されてもよい。それに対応する凹部１７が第一の部分３に画定されて、付属品１８が第一および第二の部分３、４の中に及ぶようにすることができる。凹部７は、例えば第二の部分４に形成された貫通穴（図１と２に示される）または窪み（図示せず）であってもよい。
【００３３】
充電スタンド１は、ロック手段６をさらに含んでいてもよい。ロック手段６は、噛み合い連結部（図２に示される）を含んでいてもよく、これは作動手段、例えば押しボタンによって操作されてもよい。噛み合い連結部は好ましくは、第一と第二の部分３、４間の蝶着部において（例えば、その中に）配置されてもよい。ロック手段６は、第一の部分３を第二の部分４に関してロック（または固定）するようになされている。
【００３４】
あるいは、（または補足として）、ロック手段は、第一の部分と第二の部分の一方に旋回可能に接続された第一の端と、第一の部分と第二の部分のもう一方を支持するための第二の端と、を有する支持要素（例えばロッド）または、蝶着部（図示せず）において（またはその中に）配置される摩擦連結部を含んでいてもよい。
【００３５】
図３は、充電スタンド１に配置されたハンディ型掃除機１００を示す。ハンディ型掃除機は、片手で操作され、バッテリによって電源供給されるようになされた持ち運び式掃除機の１種である。このようなハンディ型掃除機は、テーブル、家具またはその他の比較的小さい表面を吸引により掃除するのに適している。ハンディ型掃除機は、従来のキャニスタ型掃除機またはロボット掃除機と比べて比較的小さい（重さ約１ｋｇ）。ハンディ型掃除機１００は、ハンディ型掃除機１００を操作するためのハンドル１０１と、掃除対象の表面から埃やゴミを取り除くことを目的としたノズル１０２と、を有していてもよい。本願の充電スタンド１は、特にこのようなハンディ型掃除機に適応されていてもよい。例えば、充電スタンド１は、ハンディ型掃除機１００を充電するための一般的な保管場所（テーブル、棚または壁等）に（例えばそれに適した大きさを有することによって）適応されていてもよい。
【００３６】
充電スタンド１は複数の位置に配置可能であってもよく、第一と第二の部分３、４は相互に様々な程度に畳まれる。例えば、図３に示されるように、充電スタンド１は、第一の部分３が第二の部分４に関して約０°〜３０°、好ましくは０°〜２０°、さらにより好ましくは０°〜１０°（例えば約０°）の第一の角度を有する第一の位置に配置可能であってもよい。第一の角度は前述の最小角度と等しくてもよい。第一の位置は、特に保管空間の高さが制限されている時に、例えばテーブル、棚、またはその他にハンディ型掃除機１００を実質的に水平の姿勢で保管する（または充電する）ために使用されてもよい。第一の位置はまた、（図５を参照しながら後でより詳しく説明するように）充電スタンド１が壁に取り付けられている時にハンディ型掃除機１００を保管するために使用されてもよい。
【００３７】
さらに、図４に示されるように、充電スタンド１は、第一の部分３が第二の部分４に関して約５０°〜９０°、好ましくは６０°〜８５°、さらにより好ましくは６５°〜８０°（例えば約７０°または７２°）の第二の角度αを有する第二の位置に配置可能であってもよい。第二の位置は、特に保管空間の（ハンディ型掃除機１００の長手方向への）幅が制限されている時に、例えばテーブル、棚、またはその他にハンディ型掃除機１００を直立した（例えば実質的に垂直の）姿勢で保管するために使用されてもよい。第二の位置はまた、ハンディ型掃除機１００を例えば販売店または台所でディスプレイするために使用されてもよい。
【００３８】
さらに、充電スタンド１は、第一と第二の位置間の１つまたは複数の中間位置に配置可能であってもよい。そのため、中間位置では、第一の部分３の第二の部分４に関する角度が第一の角度と第二の角度との間の何れの角度であってもよい。例えば、中間位置は、（例えば、噛み合い連結の構成で提供される）画然的な位置であってもよく、または第一と第二の位置との間の何れかの位置として完全に自由に選択されてもよい。
【００３９】
好ましくは、ロック手段６、第一の部分３を第二の部分４に関して第一、第二または中間位置にロックするように構成されてもよい。
【００４０】
実質的に平坦な表面上に保管することに加えて、充電スタンド１は壁に取り付けるのに適していてもよく、これは図５に関して後述する。図５は、充電スタンドが１つまたは複数の固定手段２０によって壁３０に取り付けられている時に、充電スタンド１に配置されたハンディ型掃除機１００を示す。この例において、固定手段２０は第一の部分３の穴を通って、および好ましくは第二の部分４の穴も通って延びていてもよい。第二の部分４のフックは好ましくは、ハンディ型掃除機１００を、例えば壁に取り付けられる場合（または第二の位置において平坦な表面上に保管される場合等における直立した姿勢と、寝かした姿勢（すなわち、実質的に水平の姿勢）の両方で懸垂させるようになされていてもよい。
【００４１】
以下において、ある実施形態の実例となる例について説明する。
【００４２】
多くの製品が、保管し、時々バッテリを充電するためのスタンドを含む。典型例はハンディ型掃除機である。
【００４３】
充電スタンドのこの例は、充電スタンドに停める時に製品の複数の姿勢を可能にする機構を実現する。例えば、ハンディ型掃除機は、水平に、垂直に、またはそれらの間の複数の角度に保管することが可能であるべきである。スタンドはさらに、壁掛け用に作製することもできる。
【００４４】
この例は、使用者にとって柔軟性を提供してもよい。使用者によって、その家庭ごとに製品を充電スタンドに保管するのに利用できる空間が異なる。小さい「設置面積」が望まれることもあれば、保管空間の高さが限定要因となるかもしれないこともある。壁掛け式の選択肢も提供することで、柔軟性がさらに増大する。
【００４５】
この例はまた、製品を例えば家庭または小売店／業者／見本市等において見せるための柔軟性も提供する。例えば、小売店は、ハンディ型掃除機を提示する時に、様々な棚や展示エリアを有する。調整可能な充電スタンドを提供することによって、製品の提示が利用可能な展示領域を考慮したうえで最適化することができる。
【００４６】
この例は、２つまたは複数の部品からなり、これらを相互に関して調整して、製品の所望のディスプレイ角度を実現できる充電スタンドを開示している。
【００４７】
連結部は、スタンドを所望の角度に固定できるような何れの種類の摩擦連結または機械的機構とすることもできる。好ましくは、この機構は、単純に引いたり押したりすることによって使用者によりごく容易に、直感的に調節されてもよい。
【００４８】
具体的な実施形態を説明したが、当業者であれば、付属の特許請求の範囲において定義される範囲内で、様々な変更と追加が想定可能であることがわかるであろう。
【００４９】
実施形態の項目リスト
１．ハンディ型掃除機用充電スタンドであって、
表面上に充電スタンドを支持するための第一の部分と、
ハンディ型掃除機を支持するための第二の部分と、
ハンディ型掃除機を電源に電気的に接続するための電気接点と、
を含み、
第一の部分と第二の部分が相互に蝶着され、
充電スタンドが、第一の部分を第二の部分に関して固定するように構成されたロック手段をさらに含む充電スタンド。
【００５０】
２．第一の部分が第二の部分に関して、第一の部分の第二の部分に関する、０°〜３０°、好ましくは０°〜２０°、さらにより好ましくは０°〜１０°の範囲の最小角度と、第一の部分の第二の部分に関する、５０°〜９０°、好ましくは６０°〜８５°、さらにより好ましくは６５°〜８０°の範囲の最大角度との間で旋回可能である、項目１において定義される充電スタンド。
【００５１】
３．ロック手段が、第二の部分を第一の部分に関して、少なくとも、
第一の部分が第二の部分に関して約０°〜３０°、好ましくは０°〜２０°、さらにより好ましくは０°〜１０°の第一の角度を有する第一の位置と、
第一の部分が第二の部分に関して約５０°〜９０°、好ましくは６０°〜８５°、さらにより好ましくは６５°〜８０°の第二の角度を有する第二の位置、
にロックするように構成される、項目１または２において定義される充電スタンド。
【００５２】
４．ロック手段が、第二の部分を第一の部分に関して、第一と第二の位置間の１つまたは複数の中間位置にロックするように構成される、項目１〜３の何れか１つにおいて定義される充電スタンド。
【００５３】
５．第一の部分が、充電スタンドを前記表面に固定する固定手段を受けるための少なくとも１つの穴を含む、項目１〜４の何れか１つにおいて定義される充電スタンド。
【００５４】
６．第二の部分が固定手段を受けるための少なくとも１つの穴を含み、第二の部分のこの少なくとも１つの穴が第一の部分の少なくとも１つの穴と整合する、項目５において定義される充電スタンド。
【００５５】
７．ロック手段が、
噛み合い連結部と、
第一の部分と第二の部分の一方に旋回可能に接続される第一の端と、第一の部分と第二の部分のもう一方を支持する第二の端と、を有する支持要素
の１つまたは複数を含む、項目１〜６の何れか１つにおいて定義される充電スタンド。
【００５６】
８．第二の部分に配置されたフックをさらに含み、フックが第二の部分においてハンディ型掃除機を保持するようになされている、項目１〜７の何れか１つにおいて定義される充電スタンド。
【００５７】
９．フックと第二の部分がプラスチックの単独部品に成形される、項目８において定義される充電スタンド。
【００５８】
１０．フックが電気接点に近接して配置される、項目８または９において定義される充電スタンド。
【００５９】
１１．フックが第一と第二の部分間の蝶着部から、電気的接続と実質的に同じ距離に配置される、項目８〜１０の何れか１つにおいて定義される充電スタンド。
【００６０】
１２．第二の部分がハンディ型掃除機を支持するようになされたそりを含む、項目１〜１１の何れか１つにおいて定義される充電スタンド。
【００６１】
１３．電気接点が第二の部分の中央部分に配置される、項目１〜１２の何れか１つにおいて定義される充電スタンド。
【００６２】
１４．第一の部分が長く、前記表面に沿って延びるようになされている、項目１〜１３の何れか１つにおいて定義される充電スタンド。
【００６３】
１５．第二の部分の端部分が第一の部分に蝶着される、項目１〜１４の何れか１つにおいて定義される充電スタンド。
【００６４】
１６．第一の部分の端部分が第二の部分に蝶着される、項目１〜１５の何れか１つにおい定義される充電スタンド。
【００６５】
１７．第二および／または第一の部分に形成された、ハンディ型掃除機の付属品を保管するための凹部をさらに含む、項目１〜１６の何れか１つにおいて定義される充電スタンド。
【図１】
2016504959.tif 000003
【図２】
2016504959.tif 000004
【図３】
2016504959.tif 000005
【図４】
2016504959.tif 000006
【図５】
2016504959.tif 000007
【国際調査報告】
2016504959.tif 000008
2016504959.tif 000009
2016504959.tif 000010
2016504959.tif 000011